【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
所定の始動領域を遊技媒体が通過した後に識別情報の可変表示の開始条件が成立したことにもとづいて、各々を識別可能な複数種類の識別情報を可変表示する可変表示装置を備え、可変表示装置における識別情報の表示結果があらかじめ定められた特定表示結果となったときに遊技者にとって有利な特定遊技状態に制御する遊技機であって、
前記始動領域を遊技媒体が通過したときに、識別情報の表示結果を前記特定表示結果とするか否かを判定するための情報を所定の上限数を限度として記憶する保留記憶手段と、
可変表示の開始条件が成立したときに、前記保留記憶手段に記憶されている前記情報を用いて、開始条件が成立した可変表示の表示結果を特定表示結果とするか否かを決定する開始条件成立時決定手段と、
前記始動領域を遊技媒体が通過した後、当該通過に対応する可変表示の開始条件が成立する前に、当該通過にもとづいて実行される可変表示の識別情報の表示結果が特定表示結果になるか否かをあらかじめ判定する開始条件成立前判定手段と、
前記開始条件成立前判定手段の判定結果にもとづいて、表示結果が導出表示される可変表示以前に実行される識別情報の可変表示中に、前記可変表示装置を用いて複数回の識別情報の可変表示に亘って所定の連続予告を実行する連続予告実行手段とを備え、
前記連続予告実行手段は、各可変表示中に予告対象画像を表示するとともに、前記予告対象画像の少なくとも一部の画像を同一モチーフの共通画像で前記可変表示装置に表示させることによって連続予告を実行する
ことを特徴とする遊技機。
【手続補正２】
【補正対象書類名】明細書
【補正対象項目名】０００９
【補正方法】変更
【補正の内容】
【０００９】
本発明による遊技機は、所定の始動領域（例えば、第１始動入賞口１３や第２始動入賞口１４）を遊技媒体（例えば、遊技球）が通過した後に識別情報（例えば、飾り図柄）の可変表示の開始条件（例えば、大当り遊技中でなく、かつ、特別図柄の変動が実行されていないこと）が成立したことにもとづいて、各々を識別可能な複数種類の識別情報を可変表示する可変表示装置（例えば、演出表示装置９）を備え、可変表示装置における識別情報の表示結果があらかじめ定められた特定表示結果（例えば、大当り図柄）となったときに遊技者にとって有利な特定遊技状態（例えば、大当り遊技状態）に制御する遊技機であって、始動領域を遊技媒体が通過したときに、識別情報の表示結果を特定表示結果とするか否かを判定し特別条件を成立させるかを否かを判定するための情報（例えば、ランダムＲおよびランダム２−１）を所定の上限数（例えば、４）を限度として記憶する保留記憶手段（例えば、遊技制御用マイクロコンピュータ５６０において、ＲＡＭ５５の保留記憶バッファにおける保存領域）と、可変表示の開始条件が成立したときに、保留記憶手段に記憶されている情報を用いて、開始条件が成立した可変表示の表示結果を特定表示結果とするか否かを決定する開始条件成立時決定手段（例えば、遊技制御用マイクロコンピュータ５６０において、ステップＳ５４の処理を実行する部分）と、始動領域を遊技媒体が通過した後、当該通過に対応する可変表示の開始条件が成立する前に、当該通過にもとづいて実行される可変表示の識別情報の表示結果が特定表示結果になるか否かをあらかじめ判定する開始条件成立前判定手段（例えば、遊技制御用マイクロコンピュータ５６０において、ステップＳ２２３の処理を実行する部分）と、開始条件成立前判定手段の判定結果にもとづいて、表示結果が導出表示される可変表示以前に実行される識別情報の可変表示中に、可変表示装置を用いて複数回の識別情報の可変表示に亘って所定の連続予告を実行する連続予告実行手段（例えば、演出制御用マイクロコンピュータ１００において、ステップＳ５４４の処理で連続予告演出Ａ，Ｂ，Ｃに応じたプロセステーブルが選択されたことにもとづいて、ステップＳ８６１〜Ｓ８６３の処理を実行する部分）とを備え、連続予告実行手段は、各可変表示中に予告対象画像（例えば、図３７に示す木の画像９ｇ〜９ｈ，９ｊ〜９ｋと地面の画像９ｉ，９ｌ）を表示するとともに、予告対象画像の少なくとも一部の画像（例えば、木の画像９ｇ〜９ｈ，９ｊ〜９ｋの枝部分および地面の画像９ｉ，９ｌの表面）を同一モチーフ（例えば、二重丸や音符）の共通画像で可変表示装置に表示させることによって連続予告を実行することを特徴とする。
【手続補正３】
【補正対象書類名】明細書
【補正対象項目名】００１７
【補正方法】変更
【補正の内容】
【００１７】
請求項１記載の発明では、遊技機を、連続予告実行手段が、各可変表示中に予告対象画像を表示するとともに、予告対象画像の少なくとも一部の画像を同一モチーフの共通画像で可変表示装置に表示させることによって連続予告を実行するように構成したので、連続予告中に同一モチーフによる画像を探すという行為を実行する機会を遊技者に提供し、連続予告演出による遊技の興趣をより向上させることができる。
【手続補正４】
【補正対象書類名】明細書
【補正対象項目名】００１８
【補正方法】変更
【補正の内容】
【００１８】
連続予告実行手段が、特定表示結果が導出表示される可変表示以前に実行される識別情報の可変表示中に連続予告演出を実行する場合に、予告対象画像の少なくとも一部の画像を同一モチーフの共通画像で第１の所定回以上可変表示手段に表示させる連続予告演出を実行し、非特定表示結果が導出表示される可変表示以前に実行される識別情報の可変表示中に連続予告演出を実行する場合に、同一モチーフの共通画像を含む予告対象画像の表示回数を第１の所定回未満にするように構成されることによって、同一モチーフによる画像に対する遊技者の興味をより強くすることができ、遊技の興趣をより向上させることができる。
【手続補正５】
【補正対象書類名】明細書
【補正対象項目名】００１９
【補正方法】変更
【補正の内容】
【００１９】
連続予告実行手段が、特定表示結果が導出表示された後遊技状態を高確率状態に移行させるときに連続予告演出を実行する場合には、予告対象画像の少なくとも一部の画像を同一モチーフの共通画像で第２の所定回以上可変表示手段に表示させる連続予告演出を実行し、高確率状態に移行させない場合に連続予告演出を実行するときには、同一モチーフの共通画像を含む予告対象画像の表示回数を第２の所定回未満にするように構成されることによって、同一モチーフによる画像に対する遊技者の興味をより強くすることができ、遊技の興趣をより向上させることができる。
【手続補正６】
【補正対象書類名】明細書
【補正対象項目名】００２０
【補正方法】変更
【補正の内容】
【００２０】
連続予告実行手段が、同一モチーフの共通画像を含む予告対象画像を所定回以上表示手段に表示する連続予告演出において使用されるが、同一モチーフの共通画像を含む予告対象画像の表示回数を所定回未満にする場合には使用されない画像を所定の優先順位に従って決定するように構成されることによって、連続予告中に表示される画像に対して遊技者をより注目させて、遊技の興趣をさらに向上させることができる。
【手続補正７】
【補正対象書類名】明細書
【補正対象項目名】００２１
【補正方法】変更
【補正の内容】
【００２１】
開始条件成立前判定手段が、始動領域を遊技媒体が通過したときに記憶された乱数値が通常状態時判定テーブルに設定されている判定値と一致したことを条件に特別条件報知演出を実行することに決定するように構成されることによって、すなわち、高確率状態と通常状態とで共通に用いられる判定値によって特別条件報知演出を実行するか否か決定するので、開始条件成立前判定手段が決定処理を行うときの遊技状態と、開始条件成立時決定手段が決定処理を行うときの遊技状態とが異なっていても、開始条件成立前判定手段の決定結果と開始条件成立時決定手段の決定結果とが食い違うことはない。すなわち、開始条件成立前判定手段が特別条件の成立に対する予告を実行したにもかかわらず、開始条件成立時決定手段が特別条件を成立させないと決定することが防止される。
【手続補正８】
【補正対象書類名】明細書
【補正対象項目名】００２２
【補正方法】変更
【補正の内容】
【００２２】
開始条件成立時決定手段の決定結果に応じて、可変表示パターン種別決定用乱数を用いて、識別情報の可変表示パターン種別を複数種類のいずれかに決定する可変表示パターン種別決定手段と、可変表示パターン種別決定手段により決定された可変表示パターン種別に含まれる可変表示パターンの中から識別情報の可変表示の可変表示パターンを決定する可変表示パターン決定手段とを備えるように構成されることによって、可変表示パターン種別の選択率を変えることによって当該可変表示パターン種別に含まれる複数の可変表示パターンに対応する各々の演出の出現率を変えることができ、出現率変更に伴うプログラム変更を容易にすることができる。
【手続補正９】
【補正対象書類名】明細書
【補正対象項目名】００２３
【補正方法】変更
【補正の内容】
【００２３】
開始条件成立前判定手段の決定結果に応じて、予告種別決定用乱数を用いて、予告の種別種別を複数種類のいずれかに決定する予告種別決定手段と、予告種別決定手段により決定された予告種別に含まれる予告の中から予告の種類を決定する予告種類決定手段とを備えるように構成されることによって、予告種別の選択率を変えることによって当該予告種別に含まれる複数の予告の演出の出現率を変えることができ、出現率変更に伴うプログラム変更を容易にすることができる。
【手続補正１０】
【補正対象書類名】明細書
【補正対象項目名】００２４
【補正方法】変更
【補正の内容】
【００２４】
連続予告実行手段が予告を開始してから、開始条件成立前判定手段の判定に対応する識別情報の可変表示の表示結果として特定表示結果が導出表示されたときに実行される特定遊技状態が終了するまで、新たな遊技球の始動領域の通過にもとづく連続予告実行手段による予告の実行を禁止する予告演出禁止手段を備えるように構成されることによって、特定遊技状態が終了するまで新たな予告が実行されず、複数回の遊技媒体の始動領域の通過におけるどの通過にもとづいて予告が実行されたのかが把握しづらくなることが防止される。